(57)【要約】【課題】リモコン用光源として複数個の発光ダイオードを有するリモコン送信機において、長距離送信力を維持しつつ、送信可能な角度を広くする。【解決手段】発光ダイオード１１ａ，１１ｂは、放射強度が最大となる放射方向ｃを、発光ダイオード１１ａ，１１ｂの各中心点ｄ１，ｄ２を結ぶ線分ａの垂直二等分線ｂに対して左右対称にリモコン送信機１の外側方向に５°以内の範囲で傾けて、リモコン送信機１の前端部１０に並設される。リモコン用光源として使用される発光ダイオードは、５°以内の範囲であれば放射方向を傾けても極端に放射強度が低下しないため、放射範囲の中央部分の放射強度をあまり低下させることなく、送信可能な角度を１０°以内の範囲で広げることができる。【選択図】図２
2005151496.tif 000002
【特許請求の範囲】
【請求項１】
リモコン用光源として電気的・光学的特性が略同じとなる一対の赤外発光ダイオードを前端部に並設してなる画像表示プロジェクタ用のリモコン送信機において、
前記一対の赤外発光ダイオードは、該赤外発光ダイオードの赤外線放射強度が最大となる放射方向を、前記一対の赤外発光ダイオードの各中心点を結ぶ線分の垂直二等分線に対して左右対称に５°以内の範囲で、前記リモコン送信機の外側方向に傾けて並設されていることを特徴とするリモコン送信機。
【請求項２】
リモコン用光源として電気的・光学的特性が略同じとなる複数の発光ダイオードを配設してなるリモコン送信機において、
前記複数の発光ダイオード内の少なくとも一対の発光ダイオードは、該発光ダイオードの放射強度が最大となる放射方向を、前記一対の発光ダイオードの各中心点を結ぶ線分の垂直二等分線に対して左右対称に所定角度ずつ傾けて配設されていることを特徴とするリモコン送信機。
【請求項３】
前記所定角度は、前記発光ダイオードの放射強度のピーク値の９０％以上となる相対放射強度を有する放射方向の内の１つが、前記垂直二等分線に対して平行となる角度であることを特徴とする請求項２に記載のリモコン送信機。
【発明の詳細な説明】
【技術分野】
【０００１】
本発明は、電気機器をリモートコントロールするためのリモコン送信機に関し、特に、画像表示プロジェクタに使用する場合に好適なリモコン送信機に関する。
【背景技術】
【０００２】
従来から、電気機器をリモートコントロールするためにリモコン送信機が使用されており、リモコン送信機のリモコン用光源として発光ダイオードが使用されている。リモコン送信機は、画像表示プロジェクタのように、広い空間に設置されて、かつ、遠距離からリモートコントロールされる機器を制御するために使用される場合があり、このような用途で用いられるリモコン送信機には、送信距離が長く、かつ、送信可能な角度が広いことが要求される。このため、従来から、図５（ａ）（ｂ）に示されるように、リモコン用光源として２つの発光ダイオード１１１ａ，１１１ｂを備えたリモコン送信機１０１が知られている。リモコン送信機１０１の前端部１１０には、電気的・光学的特性が略同じとなる一対の発光ダイオード１１１ａ，１１１ｂがホルダー１１２ａ，１１２ｂを介して並設されており、ユーザによる操作部１２０の操作に基づいてリモコン信号を電気機器に送信する。発光ダイオード１１１ａ，１１１ｂは、それぞれ送信範囲Ｌａ，Ｌｂを有しており、リモコン信号の送信距離を延ばすために、放射強度が最大となる放射方向ｃ’が互いに平行になるように前端部１１０に並設されている。リモコン送信機１０１では、このように２つの発光ダイオード１１１ａ，１１１ｂを備えることにより、リモコン信号の送信能力を高め、操作性の向上が図られている。
【０００３】
しかしながら、上述した従来のリモコン送信機１０１においては、２つの発光ダイオード１１１ａ，１１１ｂを使用することにより、長距離送信力は大幅に改善できるものの、送信可能な角度については大幅に広げることはできなかった。
【０００４】
一方、広指向性の発光ダイオードと狭指向性の発光ダイオードを備えることにより、長距離送信力と広指向性の両者の性能を合わせ持つようにしたリモコン送信機が知られている（例えば、特許文献１参照）。また、発光素子の前面に、円柱等の形状をしたレンズを具備することにより、出射角度を広くすることができる発光装置が知られている（例えば、特許文献２参照）。
【特許文献１】特開平８−１６８０８３号公報
【特許文献２】特開２０００−３５３８１３号公報
【発明の開示】
【発明が解決しようとする課題】
【０００５】
ところが、特許文献１に記載のリモコン送信機は、広指向性の発光ダイオードと狭指向性の発光ダイオードを備えることにより、近距離部分については広指向性を得ることができるものの、長距離部分については広指向性が得られるものでない。すなわち、特許文献１に記載のリモコン送信機は、車両用ドアロック装置をリモートコントロールするためのリモコン送信機としては適しているかもしれないが、広い場所で、なおかつユーザから距離がある位置に設置される画像表示プロジェクタ等の電気機器については、操作性をあまり改善することができない。また、特許文献２に記載の発光装置は、出射角度を広くすることができるものの、送信距離を延ばせるものではない。
【０００６】
本発明は上記課題を解決するためになされたものであり、リモコン用光源として複数の発光ダイオードを備えたリモコン送信機において、長距離送信力を維持しつつ、送信可能な角度を広げ、操作性のよいリモコン送信機を提供することを目的とする。
【課題を解決するための手段】
【０００７】
上記目的を達成するために請求項１の発明は、リモコン用光源として電気的・光学的特性が略同じとなる一対の赤外発光ダイオードを前端部に並設してなる画像表示プロジェクタ用のリモコン送信機において、前記一対の赤外発光ダイオードは、該赤外発光ダイオードの赤外線放射強度が最大となる放射方向を、前記一対の赤外発光ダイオードの各中心点を結ぶ線分の垂直二等分線に対して左右対称に５°以内の範囲で、前記リモコン送信機の外側方向に傾けて並設されていることを特徴とする。
【０００８】
請求項２の発明は、リモコン用光源として電気的・光学的特性が略同じとなる複数の発光ダイオードを配設してなるリモコン送信機において、前記複数の発光ダイオード内の少なくとも一対の発光ダイオードは、該発光ダイオードの放射強度が最大となる放射方向を、前記一対の発光ダイオードの各中心点を結ぶ線分の垂直二等分線に対して左右対称に所定角度ずつ傾けて配設されていることを特徴とする。
【０００９】
請求項３の発明は、請求項２に記載のリモコン送信機において、前記所定角度は、前記発光ダイオードの放射強度のピーク値の９０％以上となる相対放射強度を有する放射方向の内の１つが、前記垂直二等分線に対して平行となる角度であることを特徴とする。
【発明の効果】
【００１０】
以上のように請求項１の発明によれば、リモコン送信機に使用される赤外発光ダイオードは、通常、５°以内の範囲であれば放射方向を傾けても極端に放射強度が低下しないため、一対の発光ダイオードを左右対称に５°以内の範囲でリモコン送信機の外側方向に傾けて並設することにより、放射範囲の中央部分の放射強度をあまり低下させることなく、送信可能な角度を１０°以内の範囲で広げることが可能となる。これにより、２つの赤外発光ダイオードを用いることによる長距離送信力を維持しつつ、送信可能な角度を広げることができ、リモコン送信機の操作性を高めることができる。
【００１１】
請求項２の発明によれば、発光ダイオードを所定角度だけ傾けてリモコン送信機に配設することにより、放射範囲の中央部分の放射強度の低下を抑えつつ、送信可能な角度を広げることができる。
【００１２】
請求項３の発明によれば、発光ダイオードをリモコン送信機に配設する際の取付角度を、発光ダイオードの相対放射強度が９０％以上になる放射方向の内の１つが、一対の発光ダイオードの各中心点を結ぶ線分の垂直二等分線に対して平行となる角度に制限することにより、放射範囲の中央部分の放射強度をあまり低下させることなく、送信可能な角度を広げることができる。
【発明を実施するための最良の形態】
【００１３】
本発明の第１の実施形態によるリモコン送信機について図１（ａ）（ｂ）及び図２を参照して説明する。このリモコン送信機は、例えば、画像表示プロジェクタのような広い空間で使用される電気機器を制御するために用いられるタイプのものであり、図１（ｂ）に示した送信範囲Ｌを有する発光ダイオード１１がリモコン用光源として２つ使用されている。
【００１４】
まず、発光ダイオード１１の指向性について図１（ａ）（ｂ）を参照して説明する。図１（ａ）の右半分のグラフにおいて、角変位が横軸に、相対放射強度が縦軸にとられており、発光ダイオード１１の指向特性が曲線ｈ１で示されている。一方、図１（ａ）の左半分のグラフは、図１（ａ）の右半分のグラフの座標軸を変えて示したものであり、相対放射強度が横軸に、角変位が放射線状にとられており、発光ダイオード１１の指向特性が曲線ｈ２で示されている。発光ダイオード１１は、放射方向ｃのとき、すなわち、放射方向ｃに対する角度０°において放射強度のピーク値を有し、放射方向ｃに対して角度αを有する方向ｓにおいて、このピーク値に対する相対放射強度Ｉｅを有している。従って、図１（ｂ）に示されるように、発光ダイオード１１の放射範囲Ｌを２次元的に見た場合、相対放射強度Ｉｅとなる方向ｓは、対称軸となる放射方向ｃを挟んで方向ｓ１，ｓ２となる。なお、方向ｓ’については後述する。
【００１５】
次に、発光ダイオード１１の取付角度について、図２を参照して説明する。図２において、リモコン用光源として使用される一対の発光ダイオード１１をそれぞれ発光ダイオード１１ａ，１１ｂといい、発光ダイオード１１ａ，１１ｂの放射範囲Ｌをそれぞれ放射範囲Ｌ１，Ｌ２という。発光ダイオード１１ａ，１１ｂは、リモコン送信機１の前端部１０に、ホルダー１２ａ，１２ｂを介して並設されており、ユーザによる操作部２０の操作に基づいて電気機器を制御するための赤外線パルスを電気機器に送信する。
【００１６】
発光ダイオード１１ａ，１１ｂは、放射方向ｃを、発光ダイオード１１ａ，１１ｂの各中心点ｄ１，ｄ２を結ぶ線分ａの垂直二等分線ｂに対して左右対称にリモコン送信機１の外側方向に角度αだけ傾けて並設されている。このため、発光ダイオード１１ａは放射方向ｃに対してα度傾いた方向ｓ１が垂直二等分線ｂと平行になるように配置され、発光ダイオード１１ｂは放射方向ｃに対してα度傾いた方向ｓ２が垂直二等分線ｂと平行になるように配置される。ここで傾ける角度αを５°とすると、図１（ａ）に示されるように、方向ｓ（ｓ１，ｓ２）における放射方向ｃに対する相対放射強度は約９７％になる。このように、リモコン用光源として使用される発光ダイオードは、通常、５°以内の範囲であれば、放射方向を傾けても極端に放射強度が低下しない。従って、発光ダイオード１１ａ，１１ｂを左右対称にリモコン送信機１の外側方向に５°傾けて並設することにより、放射範囲Ｌ１，Ｌ２を合成して得られる放射範囲の中央方向の放射強度をあまり低下させることなく、送信角度を１０°広げることが可能となる。このため、２つの発光ダイオード１１ａ，１１ｂを用いることによる長距離送信力を維持しつつ、送信可能な角度を広げることができ、リモコン送信機１の操作性を高めることができる。
【００１７】
また、上記においては、リモコン送信機に使用される発光ダイオードの放射強度は、通常、５°以内の範囲であれば放射方向を傾けても極端に低下しないことから、取付角度αを直接、５°に設定した場合について説明したが、図１（ａ）に示される発光ダイオード１１の角変位と相対放射強度の関係から、取付角度αを求めるようにしてもよい。すなわち、相対放射強度が９０％である方向ｓ’、又は方向ｓ’より角変位が小さい任意の方向が、垂直二等分線ｂに対して平行となるように取付角度αを制限することにより、リモコン送信機１は、リモコン用光源として使用される種々の発光ダイオードの指向特性に合わせて、送信距離を長くすることができると共に、送信可能な範囲を広げることができる。
【００１８】
次に、本願発明の第２の実施形態によるリモコン送信機について図３を参照して説明する。第２の実施形態は、発光ダイオード１１ａ，１１ｂをリモコン送信機１の内側方向に傾けて並設した点で第１の実施形態と異なる。発光ダイオード１１ａ，１１ｂは、放射方向ｃを、発光ダイオード１１ａ，１１ｂの各中心点ｄ１，ｄ２を結ぶ線分ａの垂直二等分線ｂに対して左右対称にリモコン送信機１の内側方向に５°傾けて並設されている。このような構成においても、放射範囲の中央部分の放射強度をあまり低下させることなく、送信可能な角度を１０°広げることができるので、長距離送信力を維持しつつ、送信可能な角度を広げることができ、リモコン送信機１の操作性を高めることができる。
【００１９】
なお、本発明は上記実施形態の構成に限られることなく種々の変形が可能である。例えば、上記においては、発光ダイオード１１ａ，１１ｂをリモコン送信機１の前端部１０の横方向に並べて配設した場合について説明したが、発光ダイオード１１ａ，１１ｂを前端部１０の縦方向に並べて配設してもよい。また、使用される発光ダイオード１１の数は、２つの場合に限られず２つ以上であってもよい。また、リモコン送信機１によって制御される電気機器は画像表示プロジェクタに限られず、長距離送信力及び送信角度の広さが求められる電気機器に使用することができる。
【００２０】
さらに、図４（ａ）（ｂ）に示されるように、発光ダイオード１１ａ，１１ｂ及びホルダー２１ａ，２１ｂを取付角度が調整できるようにリモコン送信機１の前端部１０に取り付けてもよい。図４（ａ）（ｂ）において、発光ダイオード１１ａ，１１ｂ及びホルダー２１ａ，２１ｂは、回動軸２２ａ，２２ｂを中心に回動できるように前端部１０に固定されている。また、発光ダイオード１１ａ，１１ｂ及びホルダー２１ａ，２１ｂの取付角度を調整するための角度調整部３０は、軸部３０ａが係止部３１で係止されることによりｙ方向及びｙ’方向に移動可能な状態で前端部１０に係止されている。図４（ａ）に示されるように、角度調整部３０がｙ方向に引張られていない状態では、ホルダー２１ａ，２１ｂは、角度調整部３０に当接しておらず、板バネ３２ａ，３２ｂの付勢力により、発光ダイオード１１ａ，１１ｂがリモコン装置１の外側方向に傾くように配置されている。一方、図４（ｂ）に示されるように、ユーザの操作により角度調整部３０がバネ３３の付勢力に抗してｙ方向に引張られると、角度調整部３０の突出部３０ｂがホルダー２１ａ，２１ｂの側面部２３ａ，２３ｂに当接する。突出部３０ｂが側面部２３ａ，２３ｂに当接した状態で、さらに角度調整部３０をｙ方向に移動させると、ホルダー２１ａ，２１ｂが板バネ３２ａ，３２ｂの付勢力に抗してｒ方向及びｒ’方向に回動し、発光ダイオード１１ａ，１１ｂがリモコン装置１の内側方向に傾いて配置される。このような構成にすることにより、リモコン送信機１は、送信可能な距離や角度を適宜調整することが可能になる。
【図面の簡単な説明】
【００２１】
【図１】（ａ）本発明の第１の実施形態によるリモコン送信機に使用される発光ダイオードの指向特性を示す図、（ｂ）は同発光ダイオードの送信可能範囲を示す図。
【図２】同リモコン送信機の前端部付近を示す上面図。
【図３】本発明の第２の実施形態によるリモコン送信機の前端部付近の上面図。
【図４】本発明のリモコン送信機の変形例を示す図。
【図５】（ａ）は従来例によるリモコン送信機の上面図、（ｂ）は同リモコン送信機の前端部付近の上面図。
【符号の説明】
【００２２】
１    リモコン送信機
１０    前端部
１１，１１ａ，１１ｂ    発光ダイオード（赤外発光ダイオード）
ａ    発光ダイオードの各中心点を結ぶ線分
ｂ    垂直二等分線
ｃ    放射強度が最大となる放射方向
ｄ１，ｄ２    発光ダイオードの中心点
ｓ’    放射強度のピーク値の９０％となる相対放射強度を有する（放射）方向
α    所定角度
【図１】
2005151496.tif 000003
【図２】
2005151496.tif 000004
【図３】
2005151496.tif 000005
【図４】
2005151496.tif 000006
【図５】
2005151496.tif 000007